(57)【特許請求の範囲】
【請求項１】
少なくとも１オクターブを含む楽器用の鍵盤において、
白鍵の表面により画定される面（Ｙ−Ｙ’）における嬰ハおよび嬰ニの各鍵の幅（ＡＢ）は１１．１０±０．２０ｍｍであり、上面における幅（ＤＣ）は９．９０±０．２０ｍｍであり；および
白鍵の表面により画定される面（Ｙ−Ｙ’）における嬰ヘ、嬰ト、および嬰イの鍵の幅（ＥＦ）は１０．４０±０．２０ｍｍ、および上面における幅（Ｄ’Ｃ’）は９．９０±０．２０ｍｍである、鍵盤。
【請求項２】
請求項１に記載の嬰ハおよび嬰ニの各鍵、および嬰ヘ、嬰ト、および嬰イの各鍵を有する少なくとも３つの連続したオクターブを含む、請求項１に記載の鍵盤。
【請求項３】
前記各オクターブは、いずれも、請求項１に記載の嬰ハおよび嬰ニの各鍵、および嬰ヘ、嬰ト、および嬰イの各鍵を有する、請求項１または２に記載の鍵盤。
【請求項４】
嬰ハ、嬰ニ、嬰ヘ、嬰ト、および嬰イの各鍵の前記上面は、白鍵の表面により画定される面（Ｙ−Ｙ’）に平行である、請求項１〜３のいずれか１項に記載の鍵盤。
【請求項５】
嬰ハおよび嬰ニの鍵の互いに対向する側面、および／または嬰ヘおよび嬰イの鍵の、嬰トの鍵に面する側面、および／または嬰トの鍵の両側面は、長手方向に凹状である、請求項１〜４のいずれか１項に記載の鍵盤。
【請求項６】
嬰ハおよび嬰ニの鍵の互いに対向する側面の面積、および／または嬰ヘおよび嬰イの鍵の、嬰トの鍵に面する側面の面積は、それぞれ、各側面に対応する反対側の側面の面積よりも大きい、請求項１〜５のいずれか１項に記載の鍵盤。
【請求項７】
嬰ハおよび嬰ニの鍵の幅（ＡＢ、ＣＤ）および側面（ＡＤ、ＢＣ）は、面（ｗ−ｗ’）について対称であり、前記面（ｗ−ｗ’）は、白鍵の表面により画定される面（Ｙ−Ｙ’）と直交しかつ底辺の幅（ＡＢ）の中間点を通る面であり、嬰ヘ、嬰ト、および嬰イの鍵の幅（ＥＦ、Ｃ’Ｄ’）および側面（ＥＤ’、ＦＣ’）は、面（ｋ−ｋ’）について対称であり、前記（ｋ−ｋ’）は、白鍵の表面により画定される面（Ｙ−Ｙ’）と直交しかつ底辺の幅（ＥＦ）の中間点を通る面である、請求項１〜５のいずれか１項に記載の鍵盤。
【請求項８】
白鍵の表面により画定される面（Ｙ−Ｙ’）における嬰ハおよび嬰ニの鍵の幅（ＡＢ）は１１．１０±０．１０ｍｍであり、上面における幅（ＤＣ）は９．９０±０．１０ｍｍであり、
白鍵の表面により画定される面（Ｙ−Ｙ’）における嬰ヘ、嬰ト、および嬰イの鍵の幅（ＥＦ）は１０．４０±０．１０ｍｍであり、上面における幅（Ｄ’Ｃ’）は９．９０±０．１０ｍｍである、請求項１〜７のいずれか１項に記載の鍵盤。
【請求項９】
白鍵の表面により画定される面（Ｙ−Ｙ’）における嬰ハおよび嬰ニの鍵の幅（ＡＢ）は１１．１０ｍｍであり、上面における幅（ＤＣ）は９．９０ｍｍであり、
白鍵の表面により画定される面（Ｙ−Ｙ’）における嬰ヘ、嬰ト、および嬰イの鍵の幅（ＥＦ）は１０．４０ｍｍであり、上面における幅（Ｄ’Ｃ’）は９．９０ｍｍである、
請求項８に記載の鍵盤。
【請求項１０】
請求項１〜９のいずれか１項に記載の鍵盤を備える楽器。
【発明の詳細な説明】
【技術分野】
【０００１】
本発明は、少なくとも１オクターブを含む楽器用鍵盤に関し、標準仕様の鍵盤に比して黒鍵の大きさを変えて、鍵盤の人間工学を向上するものである。
【背景技術】
【０００２】
鍵盤とは一揃いの鍵であり、一般に、それらを手の指で押してある特定の楽器、例えばピアノやオルガン等を演奏するものである。
【０００３】
黒鍵の両側を従来とは異なる形状にすること（例えば、図１参照）、特に、標準化可能でありかつ改善された寸法を定義して製造を一様なものとする必要性があるが、それは、体格がよく手指が大きくて指先が十分に細くないピアニストの多くが、黒鍵の間を長指で弾くのが難しく、また、全てのピアノ演奏技術において、小指、特に親指を使って黒鍵を弾かなくてはならないため、他の指で黒鍵の間を弾かざるを得ないという困難に由来するものである。
【０００４】
そこで、本発明者は、年齢、性別、体格の異なるピアニストおよび非ピアニストを対象に調査を行い、各被験者の右手の中指の幅を測定した。この幅は、中指の爪の根元から指先まで間の爪中央における幅である。結果を以下の表に示す。
【０００５】
【表１】
0006389885.tif 000002
【０００６】
表中、下から２番目の被験者は、体重超過のピアニストである。最後の被験者以外は、手を主には使わない活動に従事している。
【０００７】
楽器製造者は、一般に、黒鍵に挟まれた部分の白鍵の幅を変更することは行うが、黒鍵ヘの変更は行っていない。白鍵の幅の変更に伴って、指のスペース、特に、ヘ（ファ）音、ト（ソ）音、イ（ラ）音、およびロ（シ）音の指のスペースが減少し、演奏者の不便が増加していた。
【０００８】
実際に、ピアノには様々なブランド、製造年、モデルがあり、各測定値は以下の通りである（単位はｍｍ）。表中、
Ａ：黒鍵の上面幅；
Ｂ：白鍵の表面によって画定される面における黒鍵の幅；
Ｃ：白鍵の、１つの黒鍵ともう１つの黒鍵との間における部分の幅、白鍵と黒鍵との間の隙間（fugues:フーガ）を含む。
【０００９】
【表２】
0006389885.tif 000003
【００１０】
従来技術における鍵盤では、いずれも、嬰ハ（ド♯）の鍵と嬰ニ（レ♯）の鍵との間の距離（測定値Ｃ）が非常に大きい。
【００１１】
人体の平均的大きさ、ひいては鍵盤楽器を演奏する人の手の平均的大きさは時間の経過に比例して増加することが、進化学的研究において広く示されているが、したがって、これらの増加を考慮する必要がある。
【発明の概要】
【発明が解決しようとする課題】
【００１２】
よって、本発明の目的は、先行技術における鍵盤に関連して述べた以上のような各デメリットを克服することである。
【課題を解決するための手段】
【００１３】
上述した目的を達成するため、楽器用の鍵盤は少なくとも１オクターブを含み、
白鍵の表面により画定される面Ｙ−Ｙ’における嬰ハ（ド＃）および嬰ニ（レ＃）の各鍵の幅ＡＢ、幅ＨＩ、幅Ｈ’Ｉ’、幅Ｈ’’Ｉ’’、幅Ｈ’’’Ｉ’’’はそれぞれ１１．１０±０．２０ｍｍであり、上面における幅ＤＣ、幅ＭＬ、幅Ｍ’Ｌ’、幅Ｍ’’Ｌ’’、幅Ｍ’’’Ｌ’’’はそれぞれ９．９０±０．２０ｍｍであり、
白鍵の表面により画定される面Ｙ−Ｙ’における嬰ヘ（ファ＃）、嬰ト（ソ＃）、および嬰イ（ラ＃）の各鍵の幅ＥＦ、幅ＮＯ、幅Ｎ’Ｏ’、幅Ｎ’’Ｏ’’、幅Ｅ’Ｆ’、幅Ｎ’’’Ｏ’’’はそれぞれ１０．４０±０．２０ｍｍであり、上面における幅Ｄ’Ｃ’、幅ＱＰ、幅Ｑ’Ｐ’、幅Ｑ’’Ｐ’’、幅Ｄ’’Ｃ’’、幅Ｑ’’’Ｐ’’’はそれぞれ９．９０±０．２０ｍｍである。
【００１４】
実際、驚いたことに、嬰ヘ、嬰ト、および嬰イの各鍵に対して嬰ハおよび嬰ニの各鍵の幅を異ならせることにより鍵盤エルゴノミクスが大幅に向上できることがわかった。
【００１５】
他の態様において、本発明は、上記の鍵盤を含む楽器に関する。
【００１６】
本発明の目的上、「楽器」という用語は、手動鍵盤を装備した全ての楽器、例えば、ピアノ（アップライト／グランド）、プレイヤーピアノ、自動／ＭＩＤＩピアノ、電気／電子／ハイブリッドキーボード、電気／電子／ハイブリッドピアノ、「チェレスタ」（または「チェレステ」）、メロトロン、ハープシコード、オルガン等を意味するものである。
【図面の簡単な説明】
【００１７】
【図１】従来型のピアノ用鍵盤の透視図である。
【図２】鍵盤の模式的な上面図である。
【図３】本発明の第１の実施形態による、嬰ハ（ド＃）または嬰ニ（レ＃）の鍵の面Ｘ−Ｘ’に沿う模式的な正面断面図である。
【図４】本発明の第１の実施形態による、嬰ヘ（ファ＃）、嬰ト（ソ＃）、または嬰イ（ラ＃）の鍵の面Ｘ−Ｘ’に沿う模式的な正面断面図である。
【図５】本発明の第２の実施形態による、嬰ハまたは嬰ニの鍵の面Ｘ−Ｘ’に沿う模式的な正面断面図である。
【図６】本発明の第２の実施形態による、嬰ヘ、嬰ト、または嬰イの鍵の面Ｘ−Ｘ’に沿う模式的な正面断面図である。
【図７】本発明の第３の実施形態による、嬰ハまたは嬰ニの鍵の面Ｘ−Ｘ’に沿う模式的な正面断面図である。
【図８】本発明の第３の実施形態による、嬰ヘ、嬰ト、または嬰イの鍵の面Ｘ−Ｘ’に沿う模式的な正面断面図である。
【発明を実施するための形態】
【００１８】
本発明の特徴および利点は、以下の詳細な説明および添付の図面から明らかになるであろう。
【００１９】
よって、本発明の目的は、少なくとも１オクターブを含む楽器用の鍵盤であって、
白鍵の表面（上面）により画定される面Ｙ−Ｙ’における嬰ハ（ド＃）および嬰ニ（レ＃）の各鍵の幅ＡＢ、幅ＨＩ、幅Ｈ’Ｉ’、幅Ｈ’’Ｉ’’、幅Ｈ’’’Ｉ’’’はそれぞれ１１．１０±０．２０ｍｍであり、上面における幅ＤＣ、幅ＭＬ、幅Ｍ’Ｌ’、幅Ｍ’’Ｌ’’、幅Ｍ’’’Ｌ’’’はそれぞれ９．９０±０．２０ｍｍであり、
白鍵の表面（上面）により画定される面Ｙ−Ｙ’における嬰ヘ（ファ＃）、嬰ト（ソ＃）、および嬰イ（ラ＃）の各鍵の幅ＥＦ、幅ＮＯ、幅Ｎ’Ｏ’、幅Ｎ’’Ｏ’’、幅Ｅ’Ｆ’、幅Ｎ’’’Ｏ’’’はそれぞれ１０．４０±０．２０ｍｍであり、上面における幅Ｄ’Ｃ’、幅ＱＰ、幅Ｑ’Ｐ’、幅Ｑ’’Ｐ’’、幅Ｄ’’Ｃ’’、幅Ｑ’’’Ｐ’’’はそれぞれ９．９０±０．２０ｍｍである。
【００２０】
嬰ハ（ド＃）、嬰ニ（レ＃）、嬰ヘ（ファ＃）、嬰ト（ソ＃）、および嬰イ（ラ＃）の各鍵（すなわち簡単にいえば「黒鍵」）を上記のような寸法としても、市販のピアノの鍵盤における同様の表面の幅の平均と比べ、白鍵の使用に向けた指に対する誘導機能は大きく変化せず、指で黒鍵を押す際に使用する支持体表面の幅もそれほど減少しないことが分かった。さらに、上記の寸法は従来型との整合性を損なうことがないため、各鍵の中央の位置には全く変更がない。このことは、演奏者が自分の使い慣れた各鍵の間の距離を今度はもっと容易に見出すことができるという点で、非常に重要である。
【００２１】
また、本発明の鍵盤によれば、有利には、白鍵の寸法、すなわち、白鍵の全長（図２の面ｚ−ｚ’に沿うものと解される）および黒鍵外側の白鍵の断面の幅（すなわち、演奏者に面している部分の白鍵の長さ）は変わらない。実際、白鍵においては、１つの黒鍵ともう１つの黒鍵との間に挟まれた部分を変更しただけであり、有利には、１つの黒鍵ともう１つの黒鍵との間に挟まれた部分の幅を既知の鍵盤と比較して広くすることにより、演奏者の指用のスペースをさらに大きくするものである。
【００２２】
白鍵における黒鍵に挟まれた部分の幅は、多数の既知のピアノについて記録された測定値間の概算平均値を計算することにより求められるが、こうして求めた幅は、白鍵と黒鍵との間の隙間（フーガ）を除き、次のような分布となる：
ハ（ド）、ニ（レ）、ホ（ミ）の各鍵：１３．１０ｍｍ；
ヘ（ファ）、ト（ソ）、イ（ラ）、およびロ（シ）の各鍵：１２．４０ｍｍ。
【００２３】
白鍵と黒鍵との間に一般に存在する約１．１０ｍｍのスペース（すなわちフーガ）を維持しようとするのであれば、本発明によって隣接する黒鍵の各幅を変更した後、黒鍵間に位置する白鍵の部分を変更すればよい。
【００２４】
この変更は、白鍵の場合にも、各鍵の中心の位置を保つことにより、有利に行うことができる。そこで、例えば図２を参照すると、白鍵の幅は面ｚ−ｚ’についてセンタリングされていることがわかる。ここで、面ｚ−ｚ’は、白鍵の表面により画定される面Ｙ−Ｙ’と直交かつ同じ白鍵に隣接する２つの黒鍵から等距離にある面である。
【００２５】
本発明による可視部分の幅の絶対値の変動は非常に小さいため、各鍵の見えない部分（または各鍵の本体）については、黒鍵および白鍵とも、当該箇所を変更する必要がなく、または最小限に変更すればよいため有利であることに留意されたい。
【００２６】
本発明の鍵盤は、好ましくは、上記に定義した嬰ハおよび嬰ニの各鍵および嬰ヘ、嬰ト、および嬰イの各鍵を有する少なくとも３つの連続した連続したオクターブを含む。
【００２７】
より好ましくは、本発明の鍵盤中のオクターブは全て、上記に定義した嬰ハおよび嬰ニの各鍵および嬰ヘ、嬰ト、および嬰イの各鍵を有する。
【００２８】
嬰ハ、嬰ニ、嬰ヘ、嬰ト、および嬰イの各鍵の上面は、白鍵の表面により画定される面Ｙ−Ｙ’に平行であるとよい。
【００２９】
本発明の第１の実施形態によれば、各黒鍵の断面は、白鍵の表面により画定される面Ｙ−Ｙ’と直交かつそれぞれの底辺の幅の中間点を通る面について対称である。
【００３０】
図３および図４を特に参照すると、嬰ハおよび嬰ニの各鍵の幅ＡＢおよび幅ＣＤ、および距離ＡＢおよび距離ＢＣは、面ｗ−ｗ’について対称である。ここで面ｗ−ｗ’とは、白鍵の表面により画定される面Ｙ−Ｙ’と直交しかつ底辺の幅ＡＢの中間点を通る面である。また、嬰ヘ、嬰ト、嬰ニの各鍵の幅ＥＦ、幅Ｃ’Ｄ’および距離ＥＤ’、距離ＦＣ’は面ｋ−ｋ’について対称である。ここで面ｋ−ｋ’とは、白鍵の表面により画定される面Ｙ−Ｙ’と直交しかつ底辺の幅ＥＦの中間点を通る面である。
【００３１】
もちろん、上述したように、図３および図４は、断面ＡＢＣＤおよび断面ＥＦＣ’Ｄ’をそれぞれ様式化した模式図であり、各断面の対称性と、黒鍵のうち嬰ハ−嬰ニおよび嬰ヘ−嬰ト−嬰ニの２つの黒鍵群の間の差異とをさらに強調するものである。よって、より明確に示すため、上記の断面ＡＢＣＤおよび断面ＥＦＣ’Ｄ’は等脚台形状の幾何学的同化として示しているが、実際には、例えば、審美的または実用的な理由から各頂点を滑らかにすることもできる。
【００３２】
本発明の第２の実施形態において、嬰ハおよび嬰ニの各鍵の互いに対向する側面、および／または嬰ヘおよび嬰イの各鍵の側面のうち嬰トの鍵に面する側面の面積は、各側面と対応する反対側の側面の面積よりも大きい。こうすれば、結果として得られるオクターブのエルゴノミクス、およびそのオクターブを含む鍵盤のエルゴノミクスを向上することができる。
【００３３】
図５および図６を特に参照すると、台形形状の幾何学的同化において、黒鍵の各断面は不等辺台形であり、その長斜辺が直近の黒鍵に面していることが分かる。よって、嬰ハおよび嬰ニの各鍵の断面ＨＩＬＭおよび断面Ｈ’Ｉ’Ｌ’Ｍ’の場合、各断面の長斜辺ＬＩおよびＬ’Ｉ’は互いに対向するが、嬰ヘおよび嬰イの各鍵の断面ＮＯＰＱおよびＮ’Ｏ’Ｐ’Ｑ’の場合、各断面の長斜辺ＰＱおよびＰ’Ｑ’は嬰トの鍵に面している。
【００３４】
一方、嬰トの鍵の断面ＥＦＣ’Ｄ’は、第１の実施形態同様、不等辺台形の形状を維持することができ、嬰ヘおよび嬰イの各鍵について中央の位置にある。
【００３５】
この場合も、図５および図６は、上記の各技術的特徴についての理解を簡便にするため、上記の各断面を様式化した模式図である。
【００３６】
本発明の第３の実施形態において、嬰ハおよび嬰ニの各鍵の互いに対向する側面、および／または嬰ヘおよび嬰イの各鍵の側面のうち嬰トの鍵に面する側面は、長手方向に凹状である。こうすれば、結果として得られるオクターブのエルゴノミクス、およびそのオクターブを含む鍵盤のエルゴノミクスを向上することができる。
【００３７】
図７および図８を特に参照すると、台形形状の幾何学的同化において、黒鍵の各断面は台形であり、直近の黒鍵に面する斜辺が凹状曲線となっていることがわかる。よって、嬰ハおよび嬰ニの各鍵の断面Ｈ’’Ｉ’’Ｌ’’Ｍ’’および断面Ｈ’’’Ｉ’’’Ｌ’’’Ｍ’’’の場合、凹状曲線Ｌ’’Ｉ’’および凹状曲線Ｌ’’’Ｉ’’’は互いに対向しているが、嬰ヘおよび嬰イの各鍵の断面Ｎ’’Ｏ’’Ｐ’’Ｑ’’および断面Ｎ’’’Ｏ’’’Ｐ’’’Ｑ’’’の場合、凹状曲線Ｐ’’Ｑ’’および凹状曲線Ｐ’’’Ｑ’’’はそれぞれ嬰トの鍵に面している。
【００３８】
嬰トの鍵の断面ＥＦＣ’Ｄ’は、第１の実施形態同様、不等辺台形の形状を維持することができ、嬰ヘおよび嬰イの各鍵について中央の位置にある。または、図８の断面Ｅ’Ｆ’Ｃ’’Ｄ’’を有することもでき、この場合、台形の斜辺Ｅ’Ｄ’’および斜辺Ｆ’Ｃ’’はいずれも凹状曲線とする。
【００３９】
この場合も同様に、図７および図８は、上記の各技術的特徴についての理解を簡便にするため、上記の各断面を様式化した模式図である。
【００４０】
嬰ハおよび嬰ニの各鍵の断面を嬰ヘ、嬰ト、および嬰イの各鍵の断面とは異なるように変更することを検討することにより、同じオクターブ内においてさらなる実施形態が可能である。例えば、嬰ハおよび嬰ニの各鍵を第１の実施形態によるものとし、嬰ヘ、嬰ト、および嬰イの各鍵を第３の実施形態によるものとしてもよい。または、各断面を第３の実施形態によって変更しつつ、黒鍵ごとに異なる凹状を有してもよい。
【００４１】
さらに他の実施形態においては、第１の実施形態および図５に示すように、嬰ハおよび嬰ニの各鍵の断面積を等しくし、互いに鏡映反転させたもの（specular）とし、断面ＨＩＬＭおよび断面Ｈ’Ｉ’Ｌ’Ｍ’の面積は等しく、面ｊ−ｊ’について対称かつ鏡映反転したものとする。ここで、面ｊ−ｊ’は、白鍵の表面により画定される面Ｙ−Ｙ’と直交しかつ対象とする２つの黒鍵に対して等距離にある面である。または、図７に示すように、断面Ｈ’’Ｉ’’Ｌ’’Ｍ’’および断面Ｈ’’’Ｉ’’’Ｌ’’’Ｍ’’’の面積は等しく、面ｊ−ｊ’について対称かつ鏡映反転させたものとする。ここで、面ｊ−ｊ’は、白鍵の表面により画定される面Ｙ−Ｙ’と直交しかつ対象とする２つの黒鍵に対して等距離にある面である。
【００４２】
嬰ヘおよび嬰イの各鍵についても同様であり、図６および図８において、断面ＮＯＰＱおよび断面Ｎ’’Ｏ’’Ｐ’’Ｑ’’の面積は等しく、断面Ｎ’Ｏ’Ｐ’Ｑ’および断面Ｎ’’’Ｏ’’’Ｐ’’’Ｑ’’’を鏡映反転させたものとなっている。
【００４３】
しかしながら、例えば、前述の鍵の各対は互いに鏡映反転させずに、演奏者の特定の需要にできる限り順応可能および適合可能とした鍵盤とする等、他の実施形態も可能である。
【００４４】
好ましくは、上記の鍵盤において：
白鍵の表面により画定される面Ｙ−Ｙ’における嬰ハおよび嬰ニの各鍵の幅ＡＢ、幅ＨＩ、幅Ｈ’Ｉ’、幅Ｈ’’Ｉ’’、幅Ｈ’’’Ｉ’’’はそれぞれ１１．１０±０．１０ｍｍであり、上面における幅ＤＣ、幅ＭＬ、幅Ｍ’Ｌ’、幅Ｍ’’Ｌ’’、幅Ｍ’’’Ｌ’’’はそれぞれ９．９０±０．１０ｍｍであり；また
白鍵の表面により画定される面Ｙ−Ｙ’における嬰ヘ、嬰ト、および嬰イの各鍵の幅ＥＦ、幅ＮＯ、幅Ｎ’Ｏ’、幅Ｎ’’Ｏ’’、幅Ｅ’Ｆ’、幅Ｎ’’’Ｏ’’’はそれぞれ１０．４０±０．１０ｍｍであり、上面における幅Ｄ’Ｃ’、幅ＱＰ、幅Ｑ’Ｐ’、幅Ｑ’’Ｐ’’、幅Ｄ’’Ｃ’’、幅Ｑ’’’Ｐ’’’はそれぞれ９．９０±０．１０ｍｍである。
【００４５】
より好ましくは、白鍵の表面により画定される面Ｙ−Ｙ’における嬰ハおよび嬰ニの幅ＡＢ、幅ＨＩ、幅Ｈ’Ｉ’、幅Ｈ’’Ｉ’’、幅Ｈ’’’Ｉ’’’はそれぞれ１１．１０ｍｍであり、上面における幅ＤＣ、幅ＭＬ、幅Ｍ’Ｌ’、幅Ｍ’’Ｌ’’、幅Ｍ’’’Ｌ’’’はそれぞれ９．９０ｍｍである。
【００４６】
より好ましくは、白鍵の表面により画定される面Ｙ−Ｙ’における嬰ヘ、嬰ト、および嬰イの各鍵の幅ＥＦ、幅ＮＯ、幅Ｎ’Ｏ’、幅Ｎ’’Ｏ’’、幅Ｅ’Ｆ’、幅Ｎ’’’Ｏ’’’はそれぞれ１０．４０ｍｍであり、上面における幅Ｄ’Ｃ’、幅ＱＰ、幅Ｑ’Ｐ’、幅Ｑ’’Ｐ’’、幅Ｄ’’Ｃ’’、幅Ｑ’’’Ｐ’’’はそれぞれ９．９０ｍｍである。
【００４７】
特に好ましい実施形態によれば、白鍵の表面により画定される面Ｙ−Ｙ’における嬰ハおよび嬰ニの各鍵の幅ＡＢ、幅ＨＩ、幅Ｈ’Ｉ’、幅Ｈ’Ｉ’’、幅Ｈ’’’Ｉ’’’はそれぞれ１１．１０ｍｍであり、上面における幅ＤＣ、幅ＭＬ、幅ＭＬ’、幅Ｍ’Ｌ’’、幅Ｍ’’’Ｌ’’’はそれぞれ９．９０ｍｍであり、白鍵の表面により画定される面Ｙ−Ｙ’における嬰ヘ、嬰ト、および嬰イの各鍵の幅ＥＦ、幅ＮＯ、幅Ｎ’Ｏ’、幅Ｎ’’Ｏ’’、幅Ｅ’Ｆ’、幅Ｎ’’’Ｏ’’’はそれぞれ１０．４０ｍｍであり、上面における幅Ｄ’Ｃ’、幅ＱＰ、幅Ｑ’Ｐ’、幅Ｑ’’Ｐ’’、幅Ｄ’’Ｃ’’、幅Ｑ’’’Ｐ’’’はそれぞれ９．９０ｍｍである。
【００４８】
別の態様において、本発明は、上記の鍵盤を備える楽器に関する。この楽器は、好ましくは、ピアノ、オルガン、または電子ピアノである。
【００４９】
本発明の鍵盤について好ましくかつ有利であると認めた全ての態様は、当該鍵盤を備える楽器についても同様に好ましくかつ有利であるとみなすことを理解されたい。
【図１】
0006389885.tif 000004
【図２】
0006389885.tif 000005
【図３】
0006389885.tif 000006
【図４】
0006389885.tif 000007
【図５】
0006389885.tif 000008
【図６】
0006389885.tif 000009
【図７】
0006389885.tif 000010
【図８】
0006389885.tif 000011